【事件の表示】
　特願２００２−１８５２１３「音声信号および音楽信号を符号化する方法」拒絶査定不服審判事件〔平成１５年　２月１４日出願公開、特開２００３−　４４０９７〕について、次のとおり審決する。
【結　論】
　本件審判の請求は、成り立たない。
【理　由】
第１　手続の経緯
　
　本願は、平成１４年６月２５日に出願（優先権主張：平成１３年６月２６日　米国）されたものであって、平成２０年１０月８日付け拒絶理由通知に応答して平成２１年４月１４日に意見書とともに手続補正書が提出されたが、平成２１年６月２３日に拒絶査定がされ、これに対して平成２１年１０月２６日に拒絶査定不服審判が請求されるとともに、同日付けで手続補正がなされたものである。　
　
第２　平成２１年１０月２６日付けの手続補正についての補正の却下の決定  
［補正の却下の決定の結論］
　平成２１年１０月２６日付けの補正を却下する。  
　
［理由］
　
１．補正後の本願特許請求の範囲
　
　当該補正は特許請求の範囲の記載を、請求項１ないし２２からなる次のとおりとするものである。
　　
　【特許請求の範囲】
　　【請求項１】　符号化信号の現在の部分を復号する方法であって、前記現在の部分は、符号化された音声信号または符号化された音楽信号を含み、前記方法は、
　前記符号化信号の前記現在の部分が、コードブック励振線形予測（ＣＥＬＰ）符号化により特徴づけられた符号化音声信号に対応するか、または変換励振符号化により特徴づけられた符号化音楽信号に対応するかを判定するステップと、
　前記符号化信号の前記現在の部分が、コードブック励振線形予測符号化により特徴づけられた符号化音声信号に対応すると判定された場合は、前記符号化信号の前記現在の部分を、出力として音声励振信号を生成する音声信号処理用の音声励振ジェネレータに提供するステップと、
　前記符号化信号の前記現在の部分が変換励振符号化により特徴づけられた符号化音楽信号に対応すると判定された場合は、符号化音楽信号に対応する前記符号化信号の前記現在部分であって非対称重複加算変換法に従って形成されている前記符号化信号の前記現在の部分を、出力として変換励振信号を生成する音楽信号処理用の変換励振ジェネレータに提供するステップであって、前記非対称重複加算変換法が、
　　前の部分が、コードブック励振線形予測符号化により特徴づけられた音声の部分であるか、変換励振符号化により特徴づけられた音楽の部分であるかを判定し、
　　前記前の部分が、コードブック励振線形予測符号化により特徴づけられた音声の部分であるか、変換励振符号化により特徴づけられた音楽の部分であるかに基づいて、当該非対称重複加算変換法の前記現在の部分への適用法を調整することを含む、ステップと、
　前記現在の部分がコードブック励振線形予測符号化により特徴づけられた符号化音声信号に対応する場合は前記音声励振ジェネレータの出力に、前記現在の部分が変換励振符号化により特徴づけられた符号化音楽信号に対応する場合は前記変換励振ジェネレータの出力に線形予測合成フィルタリングを実行し、それにより、前記線形予測合成フィルタリングが、再構築信号を出力として提供するステップと
を有することを特徴とする方法。
　　【請求項２】　前記符号化信号の前記現在の部分が変換励振符号化により特徴づけられた符号化音楽信号に対応する場合、前記現在の部分は、
　入力音楽信号のシーケンスからなる音楽スーパーフレームを受信するステップと、
　線形予測原理に従って、前記音楽スーパーフレームについての残差信号および複数の線形予測係数を生成するステップと、
　前記非対称重複加算変換法のために、前記スーパーフレームの前記残差信号に非対称重複加算ウィンドウを適用して、ウィンドウ処理した信号を生成するステップと、
　前記ウィンドウ処理した信号に周波数変換を実行して、周波数変換係数のセットを得るステップと、
　前記入力音楽信号または前記線形予測係数に従って、動的ビット割り当て情報を計算するステップと、
　前記動的ビット割り当て情報に従って、前記周波数変換係数を量子化するステップと
　を含む符号化に従って形成されていることを特徴とする請求項１に記載の方法。
　　【請求項３】　前記符号化音楽信号に対応する前記符号化信号の前記現在の部分を復号することは、
　量子化された前記周波数変換係数を逆量子化するステップ（６３７）と、
　逆量子化された前記周波数変換係数に逆周波数変換を実行して予備的な時間領域の励振信号を再構築するステップ（６４７）と、
　再構築された前記予備的な時間領域の励振信号に非対称重複加算ウィンドウを適用して重複加算し、変換励振信号を出力するステップ（６５７，６６７）と
　を含むことを特徴とする請求項１に記載の方法。
　　【請求項４】　前記符号化信号の前記現在の部分は、変換符号化のためにサイズが最適化された信号スーパーフレームを有することを特徴とする請求項１に記載の方法。
　　【請求項５】　非対称重複加算ウィンドウを適用する前記ステップの後において、前記ウィンドウ処理した信号は、前記現在の部分についての改変したサンプルおよび前記現在の部分の改変していないサンプルを有することを特徴とする請求項２に記載の方法。
　　【請求項６】　前記線形予測合成フィルタリングの前に、線形予測係数のセットの補間を行うステップをさらに有することを特徴とする請求項２に記載の方法。
　　【請求項７】　前記非対称重複加算変換法の一部として、
　非対称重複加算変換の後において、ウィンドウ処理した信号は、前記現在の部分についての改変したサンプルおよび前記現在の部分についての改変していないサンプルを有し、
　重複加算処理は、前記現在の部分についての改変したサンプルと前記前の部分についての改変した重複するサンプルとを組み合わせることを特徴とする請求項１に記載の方法。
　　【請求項８】　前記非対称重複加算変換法は、前記前の部分の重複の長さ、前記現在の部分の長さおよび前記現在の部分の重複の長さの値に依存して変化するウィンドウ関数を使用することを特徴とする請求項１に記載の方法。
　　【請求項９】　前記現在の部分のサンプルは、前記前の部分の重複の長さにある第１のサンプルおよび前記前の部分の重複の長さの後にある第２のサンプルを含み、前記ウィンドウ関数は、
　前記現在の部分の前記第１のサンプルを改変し、
　前記現在の部分の前記第２のサンプルを通過し、
　前記現在の部分の前記第２のサンプルの後にある重複するサンプルを改変する、ことを特徴とする請求項８に記載の方法。
　　【請求項１０】　前記前の部分の重複の長さは、前記現在の部分の前記重複の長さと異なることを特徴とする請求項８に記載の方法。
　　【請求項１１】　前記前の部分はコードブック励振線形予測の符号化音声の部分であって、前記前の部分の前記重複の長さの値はゼロであり、前記現在の部分の前記重複の長さの値はゼロではない、ことを特徴とする請求項８に記載の方法。
　　【請求項１２】　符号化信号の現在の部分を復号するステップをコンピュータに実行させるための命令を記憶したコンピュータ可読記憶媒体であって、前記現在の部分は、符号化音声信号または符号化音楽信号を含み、前記命令は、
　前記符号化信号の前記現在の部分が、コードブック励振線形予測（ＣＥＬＰ）符号化により特徴づけられた符号化音声信号に対応するか、または変換励振符号化により特徴づけられた符号化音楽信号に対応するかを判定するステップと、
　前記符号化信号の前記現在の部分が、コードブック励振線形予測符号化により特徴づけられた符号化音声信号に対応すると判定された場合は、前記符号化信号の前記現在の部分を、出力として音声励振信号を生成する音声信号処理用音声励振ジェネレータに提供するステップと、
　前記符号化信号の前記現在の部分が変換励振符号化により特徴づけられた符号化音楽信号に対応すると判定された場合は、符号化音楽信号に対応する前記符号化信号の前記現在の部分を、非対称重複加算変換法に従って符号化音楽信号に対応する前記符号化信号の前記現在の部分を処理することを含み出力として変換励振信号を生成する音楽信号処理用の変換励振ジェネレータに提供するステップであって、前記非対称重複加算変換法が、
　　前の部分と前記現在の部分との間の移り変わりが、コードブック励振線形予測符号化から変換励振符号化への移り変わりであるか、変換励振符号化から変換励振符号化への移り変わりであるかを判定し、
　　前記前の部分と前記現在の部分との間の移り変わりが、コードブック励振線形予測符号化から変換励振符号化への移り変わりであるか、変換励振符号化から変換励振符号化への移り変わりであるかに基づいて、当該非対称重複加算変換法の前記現在の部分への適用法を調整することを含む、ステップと、
　前記現在の部分がコードブック励振線形予測符号化により特徴づけられた符号化音声信号に対応する場合は前記音声励振ジェネレータの出力に、前記現在の部分が変換励振符号化により特徴づけられた符号化音楽信号に対応する場合は前記変換励振ジェネレータの出力に線形予測合成フィルタリングを実行し、それにより、前記線形予測合成フィルタリングが、再構築信号を出力として提供するステップと
をコンピュータに実行させることを特徴とするコンピュータ可読記憶媒体。
　　【請求項１３】　前記符号化信号の前記現在の部分が変換励振符号化により特徴づけられた符号化音楽信号に対応する場合、前記現在の部分は、
　入力音楽信号のシーケンスからなる音楽スーパーフレームを受信するステップと、
　線形予測原理に従って、前記音楽スーパーフレームについての残差信号および複数の線形予測係数を生成するステップと、
　前記スーパーフレームの前記残差信号に非対称重複加算ウィンドウを適用して、ウィンドウ処理した信号を生成するステップと、
　前記ウィンドウ処理した信号に周波数変換を実行して、周波数変換係数のセットを得るステップと、
　前記入力音楽信号または前記線形予測係数に従って、動的ビット割り当て情報を計算するステップと、
　前記動的ビット割り当て情報に従って、前記周波数変換係数を量子化するステップと
を含む符号化に従って形成されていることを特徴とする請求項１２に記載のコンピュータ可読記憶媒体。
　　【請求項１４】　前記符号化音楽信号に対応する前記符号化信号の前記一部分を復号することは、前記命令が、
　量子化された前記周波数変換係数を逆量子化するステップ（６３７）と、
　逆量子化された前記周波数変換係数に逆周波数変換を実行して予備的な時間領域の励振信号を再構築するステップ（６４７）と、
　前記非対称重複加算変換法のために、再構築された前記予備的な時間領域の励振信号に非対称重複加算ウィンドウを適用して重複加算し、変換励振信号を出力するステップ（６５７，６６７）と
　をコンピュータに実行させることにより実装されることを特徴とする請求項１２に記載のコンピュータ可読記憶媒体。
　　【請求項１５】　前記符号化信号の前記現在の部分は、変換符号化のためにサイズが最適化された信号スーパーフレームを有することを特徴とする請求項１２に記載のコンピュータ可読記憶媒体。
　　【請求項１６】　非対称重複加算ウィンドウを適用する前記ステップの後において、前記ウィンドウ処理した信号は、前記現在の部分についての改変したサンプルおよび前記現在の部分の改変していないサンプルを有することを特徴とする請求項１３に記載のコンピュータ可読記憶媒体。
　　【請求項１７】　前記命令は、前記線形予測合成フィルタリングにおいて使用する線形予測係数セットの補間を行うステップをコンピュータに実行させることを特徴とする請求項１３に記載のコンピュータ可読記憶媒体。
　　【請求項１８】　スーパーフレーム信号を符号化する装置であって、前記スーパーフレーム信号は音声信号または音楽信号のシーケンスを含み、前記装置は、
　現在のスーパーフレームがコードブック励振線形予測（ＣＥＬＰ）符号化により特徴づけられた音声スーパーフレームであるか、または変換励振符号化により特徴づけられた音楽スーパーフレームであるかを分類する音声／音楽クラシファイアと、
　前記現在の音声スーパーフレームまたは音楽スーパーフレームを符号化し、複数の符号化信号を提供する音声／音楽符号変換器であって、線形予測合成フィルタを使用して前記音楽スーパーフレームを再構築するための励振信号を生成するために非対称重複加算変換法を用いる音楽符号化用の符号変換器を含む音声／音楽符号変換器と、
　前記符号化信号を復号する音声／音楽復号器であって、
　　前記非対称重複加算変換法の逆を用いて、前記変換符号化信号を復号する音楽復号用の変換復号器であって、前記非対称重複加算変換法が、
　　　前のスーパーフレームと前記現在のスーパーフレームとの間の移り変わりが、コードブック励振線形予測符号化から変換励振符号化への移り変わりであるか、変換励振符号化から変換励振符号化への移り変わりであるかを判定し、
　　　前記前のスーパーフレームと前記現在のスーパーフレームとの間の移り変わりが、コードブック励振線形予測符号化から変換励振符号化への移り変わりであるか、変換励振符号化から変換励振符号化への移り変わりであるかに基づいて、当該非対称重複加算変換法の前記現在のスーパーフレームへの適用法を調整することを含む、変換復号器、並びに、　
　線形予測係数のセットに従って再構築信号を生成する線形予測合成フィルタであって、音楽信号および音声信号両方の再生に使用することができる線形予測合成フィルタ
　を含む音声／音楽復号器と
を備えたことを特徴とする装置。
　　【請求項１９】　音声／音楽クラシファイアは、前記現在のスーパーフレームが変換励振符号化により特徴づけられた音楽であるかまたはコードブック励振線形予測符号化により特徴づけられた音声であるかを表すモードビットを提供することを特徴とする請求項１８に記載の装置。
　　【請求項２０】　前記音声／音楽符号変換器は音声スーパーフレーム符号化用のコードブック励振線形予測符号化ベースの音声符号変換器をさらに含み、前記コードブック励振線形予測符号化ベースの音声符号変換器は線形予測の原理に従って動作することを特徴とする請求項１８に記載の装置。
　　【請求項２１】　前記音声／音楽符号変換器はさらに、
　前記現在のスーパーフレームを解析し、線形予測係数のセットを生成する線形予測解析モジュールと、
　前記線形予測係数を量子化する線形予測係数量子化モジュールと、
　前記線形予測係数および前記現在のスーパーフレームを受け取り、残差信号を提供する逆線形予測フィルタと、
　前記音楽復号用の変換復号器の一部として、
　　前記残差信号をウィンドウ処理し、ウィンドウ処理した信号を生成する非対称重複加算ウィンドウ処理モジュール、
　　前記ウィンドウ処理した信号を周波数変換係数のセットに変換する周波数変換モジュール、
　　前記入力信号または前記線形予測係数の少なくとも１つに基づいて、ビット割り当て情報を提供する動的ビット割り当てモジュール、および
　　前記ビット割り当て情報に従って、前記周波数変換係数を量子化する周波数変換係数量子化モジュールと
を備えたことを特徴とする請求項１８に記載の装置。
　　【請求項２２】　前記変換復号器はさらに、
　ビット割り当て情報を提供する動的ビット割り当てモジュールと、
　量子化した周波数変換係数を、周波数変換係数のセットに変換する逆量子化モジュールと、
　前記周波数変換係数を時間領域信号に変換する、周波数逆変換モジュールと、
　非対称重複加算変換法の一部として、前記時間領域信号をウィンドウ処理し、ウィンドウ処理した信号を生成する非対称重複加算ウィンドウ処理モジュールと、
　前記非対称ウィンドウに基づいて、前記ウィンドウ処理した信号を修正する重複加算モジュールと
を備えたことを特徴とする請求項１８に記載の装置。
　　　　　　　　　　
２．当該補正前の特許請求の範囲
　
　これに対し、当該補正前の特許請求の範囲の記載は、出願当初の特許請求の範囲を平成２１年４月１４日付けで補正したものであって、請求項１ないし１７からなり、その記載は以下のとおりである。
　
「【特許請求の範囲】
　　【請求項１】　符号化信号の一部分を復号する方法であって、前記一部分は、符号化された音声信号または符号化された音楽信号を含み、前記方法は、
　前記符号化信号の前記一部分が、符号化音声信号に対応するか、または符号化音楽信号に対応するかを判定するステップと、
　前記符号化信号の前記一部分が符号化音声信号に対応すると判定された場合は、前記符号化信号の前記一部分を、出力として音声励振信号を生成する音声励振ジェネレータに提供するステップと、
　前記符号化信号の前記一部分が符号化音楽信号に対応すると判定された場合は、符号化音楽信号に対応する前記符号化信号の前記一部分であって非対称重複加算変換法に従って形成されている前記符号化信号の前記一部分を、出力として変換励振信号を生成する変換励振ジェネレータに提供するステップと、
　共通の線形予測合成フィルタの入力を、前記音声励振ジェネレータの出力と前記変換励振ジェネレータの出力の間で切り替え、それにより、前記共通の線形予測合成フィルタが、前記入力される励振に対応する再構築信号を出力として提供するステップと
を有することを特徴とする方法。
　　【請求項２】　前記非対称重複加算変換法は、
　入力音楽信号のシーケンスからなる音楽スーパーフレームを受信するステップと、
　線形予測原理に従って、前記音楽スーパーフレームについての残差信号および複数の線形予測係数を生成するステップと、
　前記スーパーフレームの前記残差信号に非対称重複加算ウィンドウを適用して、ウィンドウ処理した信号を生成するステップと、
　前記ウィンドウ処理した信号に離散コサイン変換を実行して、離散コサイン変換係数のセットを得るステップと、
　前記入力音楽信号または前記線形予測係数に従って、動的ビット割り当て情報を計算するステップと、
　前記動的ビット割り当て情報に従って、前記離散コサイン変換係数を量子化するステップと
　を含み前記符号化信号の前記一部分である前記符号化音楽信号を形成することを特徴とする請求項１に記載の方法。
　　【請求項３】　前記符号化音楽信号に対応する前記符号化信号の前記一部分を復号することは、
　量子化された前記離散コサイン変換係数を逆量子化するステップと、
　逆量子化された前記離散コサイン変換係数に逆離散コサイン変換を実行して予備的な時間領域の励振信号を再構築するステップと、
　再構築された前記励振信号に非対称重複加算ウィンドウを適用して重複加算し、音楽励振信号を出力するステップと
　を含むことを特徴とする請求項１または２に記載の方法。
　　【請求項４】　前記符号化信号の前記一部分は、変換符号化のためにサイズが最適化された信号スーパーフレームを有することを特徴とする請求項１に記載の方法。
　　【請求項５】　前記スーパーフレームは一連のエレメントで構成され、非対称重複加算ウィンドウを適用する前記ステップはさらに、
　前のスーパーフレームエレメントの最後のサブシリーズに従って、現在のスーパーフレームエレメントの最初のサブシリーズを修正すること、並びに、次のスーパーフレームエレメントの最初のサブシリーズに従って、前記現在のスーパーフレームエレメントの最後のサブシリーズを修正することによって前記非対称重複加算ウィンドウを作成するステップと、
　時間領域中の前記現在のスーパーフレームで、前記ウィンドウを乗算するステップと
を含むことを特徴とする請求項２に記載の方法。
　　【請求項６】　前記共通の線形予測合成フィルタにおいて、線形予測係数のセットの補間を行うステップをさらに有することを特徴とする請求項２に記載の方法。
　　【請求項７】　符号化信号の一部分を復号するステップをコンピュータに実行させるための命令を記憶したコンピュータ可読記憶媒体であって、前記一部分は、符号化音声信号または符号化音楽信号を含み、前記命令は、
　前記符号化信号の前記一部分が、符号化音声信号に対応するか、または符号化音楽信号に対応するかを判定するステップと、
　前記符号化信号の前記一部分が符号化音声信号に対応すると判定された場合は、前記符号化信号の前記一部分を、出力として音声励振信号を生成する音声励振ジェネレータに提供するステップステップと、
　前記符号化信号の前記一部分が符号化音楽信号に対応すると判定された場合は、前記符号化信号の前記一部分であって非対称重複加算変換法に従って形成されている前記符号化信号の前記一部分を、出力として変換励振信号を生成する変換励振ジェネレータに提供するステップステップと、
　共通の線形予測合成フィルタの入力を、前記音声励振ジェネレータの出力と前記変換励振ジェネレータの出力の間で切り替え、それにより、前記共通の線形予測合成フィルタが、前記入力される励振に対応する再構築信号を出力として提供するステップと
をコンピュータに実行させることを特徴とするコンピュータ可読記憶媒体。
　　【請求項８】　前記非対称重複加算変換法は、
　入力音楽信号のシーケンスからなる音楽スーパーフレームを受信するステップと、
　線形予測原理に従って、前記音楽スーパーフレームについての残差信号および複数の線形予測係数を生成するステップと、
　前記スーパーフレームの前記残差信号に非対称重複加算ウィンドウを適用して、ウィンドウ処理した信号を生成するステップと、
　前記ウィンドウ処理した信号に離散コサイン変換を実行して、離散コサイン変換係数のセットを得るステップと、
　前記入力音楽信号または前記線形予測係数に従って、動的ビット割り当て情報を計算するステップと、
　前記動的ビット割り当て情報に従って、前記離散コサイン変換係数を量子化するステップと
を含み前記符号化信号の前記一部分である前記符号化音楽信号を形成することを特徴とする請求項７に記載のコンピュータ可読記憶媒体。
　　【請求項９】　前記符号化音楽信号に対応する前記符号化信号の前記一部分を復号することは、前記命令が、
　量子化された前記離散コサイン変換係数を逆量子化するステップと、
　逆量子化された前記離散コサイン変換係数に逆離散コサイン変換を実行して予備的な時間領域の励振信号を再構築するステップと、
　再構築された前記励振信号に非対称重複加算ウィンドウを適用して重複加算し、音楽励振信号を出力するステップと
　をコンピュータに実行させることにより実装されることを特徴とする請求項７または８に記載のコンピュータ可読記憶媒体。
　　【請求項１０】　前記符号化信号の前記一部分は、変換符号化のためにサイズが最適化された信号スーパーフレームを有することを特徴とする請求項７に記載のコンピュータ可読記憶媒体。
　　【請求項１１】　前記スーパーフレームは一連のエレメントで構成され、非対称重複加算ウィンドウを適用する前記ステップはさらに、
　前のスーパーフレームエレメントの最後のサブシリーズに従って、現在のスーパーフレームエレメントの最初のサブシリーズを修正すること、並びに、次のスーパーフレームエレメントの最初のサブシリーズに従って、前記現在のスーパーフレームエレメントの最後のサブシリーズを修正することによって前記非対称重複加算ウィンドウを作成するステップと、
　時間領域中の前記現在のスーパーフレームで、前記ウィンドウを乗算するステップと
を含むことを特徴とする請求項８に記載のコンピュータ可読記憶媒体。
　　【請求項１２】　前記命令は、前記線形予測合成フィルタにおいて使用する線形予測係数セットの補間を行うステップをコンピュータに実行させることを特徴とする請求項８に記載のコンピュータ可読記憶媒体。
　　【請求項１３】　スーパーフレーム信号を符号化する装置であって、前記スーパーフレーム信号は音声信号または音楽信号のシーケンスを含み、前記装置は、
　前記スーパーフレームが音声スーパーフレームであるか、または音楽スーパーフレームであるかを分類する音声／音楽クラシファイアと、
　前記音声スーパーフレームまたは音楽スーパーフレームを符号化し、複数の符号化信号を提供する音声／音楽符号変換器であって、線形予測合成フィルタを使用して前記音楽スーパーフレームを再構築するための励振信号を生成するために非対称重複加算変換法を用いる音楽符号変換器を含む音声／音楽符号変換器と、
　前記符号化信号を復号する音声／音楽復号器であって、
　　前記非対称重複加算変換法の逆を実行して、前記符号化音楽信号を復号する変換復号器、並びに、
　　線形予測係数のセットに従って再構築信号を生成する線形予測合成フィルタであって、音楽信号および音声信号両方の再生に使用することができる線形予測合成フィルタを含む音声／音楽復号器と
を備えたことを特徴とする装置。
　　【請求項１４】　音声／音楽クラシファイアは、前記スーパーフレームが音楽であるかまたは音声であるかを表すモードビットを提供することを特徴とする請求項１３に記載の装置。
　　【請求項１５】　前記音声／音楽符号変換器は音声スーパーフレームを符号化する音声符号変換器をさらに含み、前記音声符号変換器は線形予測の原理に従って動作することを特徴とする請求項１３に記載の装置。
　　【請求項１６】　前記音楽符号変換器はさらに、
　前記音楽スーパーフレームを解析し、線形予測係数のセットを生成する線形予測解析モジュールと、
　前記線形予測係数を量子化する線形予測係数量子化モジュールと、
　前記線形予測係数および前記音楽スーパーフレームを受け取り、残差信号を提供する逆線形予測フィルタと、
　前記残差信号をウィンドウ処理し、ウィンドウ処理した信号を生成する非対称重複加算ウィンドウ処理モジュールと、
　前記ウィンドウ処理した信号を離散コサイン変換係数のセットに変換する離散コサイン変換モジュールと、
　前記入力信号または前記線形予測係数の少なくとも１つに基づいて、ビット割り当て情報を提供する動的ビット割り当てモジュールと、
　前記ビット割り当て情報に従って、前記離散コサイン変換係数を量子化する離散コサイン変換係数量子化モジュールと
を備えたことを特徴とする請求項１３に記載の装置。
　　【請求項１７】　前記変換復号器はさらに、
　ビット割り当て情報を提供する動的ビット割り当てモジュールと、
　量子化した離散コサイン変換係数を、離散コサイン変換係数のセットに変換する逆量子化モジュールと、
　前記離散コサイン変換係数を時間領域信号に変換する、離散コサイン逆変換モジュールと、
　前記時間領域信号をウィンドウ処理し、ウィンドウ処理した信号を生成する非対称重複加算ウィンドウ処理モジュールと、
　前記非対称ウィンドウに基づいて、前記ウィンドウ処理した信号を修正する重複加算モジュールと
を備えたことを特徴とする請求項１３に記載の装置。」
　
３．当該補正の適否
　
　当該特許請求の範囲についてする補正が特許法第１７条の２第４項（平成１８年法律第５５号改正附則第３条第１項によりなお従前の例によるとされる同法による改正前の特許法第１７条の２第４項）各号の事項に適合するものであるかの検討をする。
（以下、平成１８年法律第５５号改正附則第３条第１項によりなお従前の例によるとされる特許法を、単に平成１８年改正前特許法、あるいは単に特許法と記す。）
　
　まず第１に、本件補正は、補正前の特許請求の範囲に記載された全１７の請求項に対し、補正後の請求項７ないし１１に記載の発明を新たに加えることにより全請求項数を２２に増項する補正である。
　請求項の増加は、請求項の削除、特許請求の範囲の縮減、誤記の訂正、明瞭でない記載の釈明の何れにも該当しないから、この補正は、特許法第１７条の２第４項の各号に掲げるいずれの事項を目的とするものとも認められない。
　したがって、当該補正は、特許法第１７条の２第４項の規定に違反するものであり、同法第１５９条第１項において読み替えて準用する同法第５３条第１項の規定により却下されるべきものである。
　
　第２に、本件補正は、請求項１について、補正前の「再構築信号を出力として提供するステップ」を、
「前の部分が、コードブック励振線形予測符号化により特徴づけられた音声の部分であるか、変換励振符号化により特徴づけられた音楽の部分であるかを判定し、
　前記前の部分が、コードブック励振線形予測符号化により特徴づけられた音声の部分であるか、変換励振符号化により特徴づけられた音楽の部分であるかに基づいて、当該非対称重複加算変換法の前記現在の部分への適用法を調整することを含む、ステップと、　
　前記現在の部分がコードブック励振線形予測符号化により特徴づけられた符号化音声信号に対応する場合は前記音声励振ジェネレータの出力に、前記現在の部分が変換励振符号化により特徴づけられた符号化音楽信号に対応する場合は前記変換励振ジェネレータの出力に線形予測合成フィルタリングを実行し、それにより、前記線形予測合成フィルタリングが、再構築信号を出力として提供するステップ」
と形式的に限定する補正である。
　しかしながら、当該補正における
「前記前の部分が〜当該非対称重複加算変換法の前記現在の部分への適用法を調整することを含む、ステップ」
は、当初明細書等に記載した事項ではなく、また、当初明細書等の記載から自明な事項でもない。
　
　審判請求書において、審判請求人が補正の根拠箇所とする段落【００４４】−【００４７】には、符号化において前のスーパーフレームのタイプと現在のスーパーフレームのタイプに応じて符号化ブロック開始時の重複加算ウインドウを実行しない点について説明されているが、復号化においてスーパーフレームのタイプに応じた処理については説明されていない。
　段落【００４７】には復号時に「数式２で定義される重複加算ウィンドウを適用することにより、再構築された励振信号をさらに処理する」とは記載されているものの、数式２におけるLp等パラメータが符号化情報として直接的に決定されるものであるのか、スパーフレームのタイプ等の他のパラメータから算出されるものであるのかは記載されておらず、復号時において「前記前の部分が、コードブック励振線形予測符号化により特徴づけられた音声の部分であるか、変換励振符号化により特徴づけられた音楽の部分であるかに基づいて、当該非対称重複加算変換法の前記現在の部分への適用法を調整する」ことが記載されているとはいえない。
　
　また、平成２２年１２月１０日提出の回答書の内容からも、「前記前の部分が〜当該非対称重複加算変換法の前記現在の部分への適用法を調整することを含む、ステップ」が、当初明細書等に記載した事項、あるいは当初明細書等の記載から自明な事項であると認められる根拠を見出すことはできない。
　「再構築信号を出力として提供するステップ」は復号の際のステップであり、復号の際に「音声励振ジェネレータの出力」「変換励振ジェネレータの出力」を選択することは出願当初明細書に記載されているものの、「前記前の部分が〜当該非対称重複加算変換法の前記現在の部分への適用法を調整することを含む、ステップ」は何ら記載されていない。
　図４および関連する段落において、符号化の際の非対称重複加算ウィンドウの動作および効果が説明されているが、これは復号の際の動作ではない。
　　
　したがって、当該補正は、特許法第１７条の２第３項の規定に違反するものであり、同法第１５９条第１項において読み替えて準用する同法第５３条第１項の規定により却下されるべきものである。
　
第３　本願発明について
　
１．本願発明の認定
 
　平成２１年１０月２６日付けの手続補正は上記のとおり却下されたので、本願の請求項に係る発明は、平成２１年４月１４日付け手続補正書により補正された特許請求の範囲の請求項１から請求項１７までに記載した事項（前掲）により特定されるとおりのものと認められる。
　そのうち、請求項１に係る発明は、下記のとおりである。（再掲）
　
　【請求項１】　符号化信号の一部分を復号する方法であって、前記一部分は、符号化された音声信号または符号化された音楽信号を含み、前記方法は、
　前記符号化信号の前記一部分が、符号化音声信号に対応するか、または符号化音楽信号に対応するかを判定するステップと、
　前記符号化信号の前記一部分が符号化音声信号に対応すると判定された場合は、前記符号化信号の前記一部分を、出力として音声励振信号を生成する音声励振ジェネレータに提供するステップと、
　前記符号化信号の前記一部分が符号化音楽信号に対応すると判定された場合は、符号化音楽信号に対応する前記符号化信号の前記一部分であって非対称重複加算変換法に従って形成されている前記符号化信号の前記一部分を、出力として変換励振信号を生成する変換励振ジェネレータに提供するステップと、
　共通の線形予測合成フィルタの入力を、前記音声励振ジェネレータの出力と前記変換励振ジェネレータの出力の間で切り替え、それにより、前記共通の線形予測合成フィルタが、前記入力される励振に対応する再構築信号を出力として提供するステップと
を有することを特徴とする方法。
　　　　　　　　（以下、これを本願発明とする。）　　
　
２．引用例に記載の発明　
　
　原査定の拒絶理由に引用された刊行物１（Ｂ．ＢＥＳＳＥＴＴＥ，Ｒ．ＳＡＬＡＭＩ，Ｃ，ＬＡＦＬＡＭＭＥ，Ｒ．ＬＥＦＥＢＶＲＥ；Ａ　ＷＩＤＥＢＡＮＤ　ＳＰＥＥＣＨ　ＡＮＤ　ＡＵＤＩＯ　ＣＯＤＥＣ　ＡＴ１６／２４／３２ＫＢＩＴ／Ｓ　ＵＳＩＮＧ　ＨＹＢＲＩＤ　ＡＣＥＬＰ／ＴＣＸ　ＴＥＣＨＮＩＱＵＥＳ，　Ｐｒｏｃｅｅｄｉｎｇ　ｏｆ　ｔｈｅ　１９９９　ＩＥＥＥ　Ｗｏｒｋｓｈｏｐ　ｏｎ　Ｓｐｅｅｃｈ　Ｃｏｄｉｎｇ，フィンランド，１９９９年６月２０日；第７頁〜第９頁）には、図面とともに、次の（ア）（イ）の内容が記載がされている。　　
　
（ア）ＳＰＥＥＣＨ（音声）とＡＵＤＩＯ（音楽）信号について、２つの異なるモード、すなわちＡＣＥＬＰモード及びＴＣＸモードの２つのモードを選択的に用いて符号・復号する音声符号化方法。　
　（図１のブロックダイアグラムおよび関連記載）
　
（イ）「Ｄｅｃｏｄｉｎｇ　Ｐｒｉｎｃｉｐｌｅｓ　
Ｔｈｅ　ｆｕｎｃｔｉｏｎ　ｏｆ　ｔｈｅ　ｄｅｃｏｄｅｒ　ｃｏｎｓｉｓｔｓ　ｏｆ　ｄｅｃｏｄｉｎｇ　ｔｈｅ　ｔｒａｎｓｍｉｔｔｅｄ　ｐａｒａｍｅｔｅｒｓ　ａｎｄ　ｐｅｒｆｏｒｍｉｎｇ　ｓｙｎｔｈｅｓｉｓ　ｔｏ　ｏｂｔａｉｎ　ｔｈｅ　ｒｅｃｏｎｓｔｒｕｃｔｅｄ　ｓｐｅｅｃｈ．
　
Ｉｎ　ｃａｃｅ　ｏｆ　ｔｈｅ　ＡＣＥＬＰ　ｍｏｄｅ，　ｔｈｅ　ｅｘｃｉｔａｔｉｏｎ　ａｔ　ｔｈｅ　ｉｎｐｕｔ　ｏｆ　ｔｈｅ　ｓｙｎｔｈｅｓｉｓ　ｆｉｌｔｅｒ　ｃｏｎｓｉｓｔｓ　ｏｆ　ｔｈｅ　ａｄｄｉｔｉｏｎ　ｏｆ　ｔｈｅ　ｐｉｔｃｈ　ａｎｄ　ａｌｇｅｂｒａｉｃ　ｅｘｃｉｔａｔｉｏｎ　ｖｅｃｔｏｒｓ　ｓｃａｌｅｄ　ｂｙ　ｔｈｅｉｒ　ｒｅｓｐｅｃｔｉｖｅ　ｇａｉｎｓ（ｅｖｅｒｙ　５ｍｓ　ｓｕｂｆｒａｍｅ）．
Ｉｎ　ｃａｓｅ　ｏｆ　ＴＣＸ　ｍｏｄｅ，　ｔｈｅ　ｒｅｃｅｉｖｅｄ　ｑｕａｎｔｉｚｅｄ　ｓｐｅｃｔｒｕｍ　ｉｓ　ｉｎｖｅｒｓｅ　ｔｒａｎｓｆｏｒｍｅｄ　ｔｏ　ｏｂｔａｉｎ　ｔｈｅ　２０−ｍｓ　ｑｕａｎｔｉｚｅｄ　ｔａｒｇｅｔ　ｓｉｇｎａｌ．　Ｔｈｅ　ｅｘｃｉｔａｔｉｏｎ　ｓｉｇｎａｌ　ｉｓ　ｃｏｍｐｕｔｅｄ　ｂｙ　ｆｉｌｔｅｒｉｎｇ　ｔｈｅ　ｑｕａｎｔｉｚｅｄ　ｔａｒｇｅｔ　ｓｉｇｎａｌ　ｔｈｒｏｕｇｈ　ｔｈｅ　ｉｎｖｅｒｓｅ　ｏｆ　ｔｈｅ　ｗｅｉｇｈｔｅｄ　ｓｙｎｔｈｅｓｉｓ　ｆｉｌｔｅｒ．」　　（２．５節）
（和訳：復号の原理
　復号機能は伝送されたパラメータを復号し、再構築スピーチ信号を得ることからなる。
　ＡＣＥＬＰモードでは、合成フィルタの入力における励起が、相対ゲインによりスケール化さた代数的励起ベクトルとピッチが加味されるよう成り（５ｍｓサブフレーム毎）。
　ＴＣＸモードでは、受信した量子化スペクトラムは２０ｍｓの量子化ターゲット信号を得るために変換される。励起信号は量子化ターゲット信号により重み付け逆変換合成フィルタを介して計算される。）
　　
　したがって、該刊行物記載の論文のタイトル及び、上記（ア）、（イ）これらの記載及び図面の内容を総合すれば、刊行物１には次の（ウ）なる発明が記載されていると認められる。
　（以下、引用発明という。）　
　　　　　　　　　　　　
　［引用発明］
（ウ）ＡＣＥＬＰ／ＴＣＸのハイブリッド技術を用いて、音声信号および音楽信号を含む信号を符号化、復号化する方法であって、
　音声信号はＡＣＥＬＰモードとして符号化されるものであり、音楽信号はＴＣＸモードとして符号化されるものであって、
　ＡＣＥＬＰモードで符号化された信号の復号においては、合成フィルタの入力における励振が相対ゲインによりスケール化された代数的励振ベクトルとピッチが加味されることにより成り、
　ＴＣＸモードで符号化された信号の復号においては、受信した量子化スペクトラムから量子化ターゲット信号を得、励振信号が量子化ターゲット信号により重み付け逆変換合成フィルタを介して計算され、、
　合成フィルタが、前記入力される励起に対応する再構築信号を出力する音声／音楽符号化信号の復号化方法。
　
３．　対比・判断
　
　本願発明と引用発明を対比する。
　
　ＡＣＥＬＰはＣＥＬＰの一種であり、線形予測フィルタとフィルタの励起信号とで信号をモデル化し、適応型コードブックと代数構造ををもつ固定型コードブックを用いて励起信号のパラメータ化するものであって、人間の声を符号化するのに適している音声励振符号化モードであることは技術常識である。
　また、ＴＣＸモードは、音楽信号に適した変換符号化の一種で、聴感補正された時間領域の信号を離散コサイン変換（ＤＣＴ）を用いて周波数領域の信号に変換し、格子ベクトル量子化を行う符号化であって、本願明細書の段落００１２にも記載されているように変換励振符号化（表記自体は変換符号化励振）に他ならない。
　したがって、引用発明における合成フィルタが線形予測合成フィルタを意味することは明らかである。
　そして、引用発明のＡＣＥＬＰモードにおける復号における励振（励振信号の発生）は当然「音声励振ジェネレータ」により実行されるものであり、また、引用発明におけるＴＣＸモードにおいて励振信号を計算するものは「変換励振ジェネレータ」といえる。
　
　また、引用発明は、本願発明同様、符号化された音声信号または符号化された音楽信号を含む符号化信号を復号化する方法であり、ＡＣＥＬＰ／ＴＣＸのハイブリッド技術を用いているものであるから、明記されていなくとも、混合されている符号化信号の何れかの部分を一部分として、一部分毎に、符号化のモードに対応した方法で復号化するものである。
　そして、一部分ごとに符号化モードの異なるものを対応する方法で復号化するためには、その部分がどちらのモードで符号化されているかを判定することが必須である。
　すなわち、引用発明は、符号化された音声信号または符号化された音楽信号を含む符号化信号を復号する方法であって、音声信号がＡＣＥＬＰモードとして符号化され、音楽信号がＴＣＸモードとして符号化された信号を、夫々のモードに応じて対応する異なる復号化をするものであるから、復号化する信号が、どのモードで符号化されているかが既知であるとことは自明であり、そのために、符号化信号の一部分が、符号化音声信号に対応するか、または符号化音楽信号に対応するかを判定する前段階（ステップ）があり、判定に応じて符号化信号の前記一部分を、音声励振ジェネレータあるいは変換励振ジェネレータに供給することは当然実行される処理に他ならない。
　どのような手法で判定するかは任意であって、本願発明において、判定手段の内容に格別の構成があるわけでもない。
　したがって、刊行物１には明記されていなくとも、引用発明は、受信した符号化信号の各一部分について、符号化音声信号に対応するか、または符号化音楽信号に対応するかを判定することを実質的に包含していると判断される。
　
　してみれば、両者は次の（エ）の点において一致し、（オ）及び（カ）の点において相違がある。
　
［一致点］
（エ）符号化信号の一部分を復号する方法であって、前記一部分は、符号化された音声信号または符号化された音楽信号を含み、前記方法は、
　前記符号化信号の前記一部分が符号化音声信号に対応すると判定された場合は、前記符号化信号の前記一部分を、出力として音声励振信号を生成する音声励振ジェネレータに提供するステップと、
　前記符号化信号の前記一部分が符号化音楽信号に対応するものについて、前記符号化信号の前記一部分を、出力として変換励振信号を生成する変換励振ジェネレータに提供するステップと、             
　線形予測合成フィルタが、前記入力される励振に対応する再構築信号を出力として提供するステップと
を有することを特徴とする方法。
　
［相違点］
（オ）本願発明において、「符号化音楽信号に対応する前記符号化信号の前記一部分」が「非対称重複加算変換法に従って形成されている前記符号化信号の前記一部分」であるのに対し、引用発明においては、符号化信号が、「非対称重複加算変換法に従って形成されている」ものとはされていない点。　
（カ）本願発明において、線形予測合成フィルタが「共通の線形予測合成フィルタ」であり、「共通の線形予測合成フィルタの入力を、前記音声励振ジェネレータの出力と前記変換励振ジェネレータの出力の間で切り替え」とされているのに対し、引用発明では、線形予測合成フィルタが共通であるか否かについて言及されていない点。
　
　これら相違点について検討する。
　
（オ’）ＭＤＣＴ等の符号変換を行う際に対象信号に非対称重複加算を行う（非対称のウインドウ関数を用いる）点は、拒絶理由通知において引用した刊行物３（特開平７−２９７７２６号公報）に見られるように周知慣用の技術にすぎず、引用発明において変換符号を用いた符号・復号を行う際に、非対称重複加算を適用する点に格別の技術的困難性は認められない。
　なお、引用発明の記載されている刊行物1（４．ＳＵＭＭＡＲＹ　５〜９行参照）に、重複加算変換が音楽の要求を満たす可能性があるが、音声信号に対しては性能が低下し、ＣＥＬＰタイプの符号化器とともに統合することは難しい旨の記載がある。当該記載は、“ＭＬＴやＭＤＣＴのオーバーラップ変換技術が音声信号には貧弱なパフォーマンスであるものの、音楽信号には好適である”ことと解されるから、これは、引用文献１に記載された発明として認定した引用発明の音楽信号に対して、ＭＬＴやＭＤＣＴのオーバーラップ変換技術を適用することの可能性を示唆しているものと判断できる。
　
（カ’）そもそもＣＥＬＰもＴＣＸも分析合成方式による符号化／復号化の一方式であって、音源情報とスペクトル包絡（調音）情報とで線形予測符号化して伝送し、伝送された音源情報に基づいて励振信号を発生させ、これをスペクトル包絡（調音）情報に基づく線形フィルタで調音して復号するものである。
　すなわち線形予測合成フィルタは、伝送されたスペクトル包絡（調音）情報に応じて機能するものである。
　そして、伝送される符号化信号、すなわち復号される符号化は音声信号、音楽信号の何れかであって、音声信号、音楽信号を同時に復号することはないのであるから、線形予測合成フィルタを音声信号、音楽信号に対応する励振信号に夫々対応して設ける代わりに、共用のフィルタとして入力を切り換えて選択的に用いるようにすることは当業者であれば容易に想考し得ることである。
　演算機能素子を時分割して使用し、多機能の用途に用いることは周知慣用技術に他ならない。
　　                　　
　よって、各相違点は何れも格別想考困難なことではないから、本願発明は引用発明に基づいて、当業者が容易に発明をすることができたものである。
　
第４　まとめ
　
　以上のとおりであるから、本願の発明は、拒絶理由通知において示された刊行物に記載の発明に基づいて、当業者が容易に発明をすることができたものであり、特許法第２９条第２項の規定により特許を受けることができない。
　したがって、特許法第２９条第２項の規定により特許を受けることができないとした拒絶査定は妥当なものである。 
　よって、結論のとおり審決する。